【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
資産管理のためのコンピュータ実装方法であって、前記方法は、
ブロックチェーンネットワークの分散型データベースにアクセスするターゲットユーザから、前記ブロックチェーンネットワーク中で資産オブジェクトを生成するための要求を含むユーザ入力を受信するステップであって、前記ブロックチェーンネットワークは、アカウントオブジェクトおよびコントラクトオブジェクトを含み、前記要求は、前記ターゲットユーザに関連付けられた秘密鍵を用いて署名される、ステップと、
前記ユーザ入力を受信したことに応じて、前記秘密鍵に対応する公開鍵に基づいて前記ターゲットユーザのアイデンティティ認証を実施するステップと、
前記ユーザ入力に基づいて前記資産オブジェクトの資産タイプを判断するステップと、
前記ブロックチェーンネットワーク中で、前記資産タイプに基づいて前記資産オブジェクトを生成するために前記コントラクトオブジェクトを開始するステップであって、前記資産オブジェクトは、前記ターゲットユーザに関連付けられた物理的資産に対応するデジタル資産を含む、ステップと、
前記ターゲットユーザから、前記資産オブジェクトに関連付けられた資産転送要求を受信するステップと、
前記資産オブジェクトの特徴に関連付けられた前記ターゲットユーザの履歴データを読み出すステップであって、前記ターゲットユーザの前記履歴データは過去のブロックまたは許可されたネットワーク通信と関連付けられる、ステップと、
前記ターゲットユーザの前記履歴データを処理することに基づいて、前記ターゲットユーザの前記履歴データに異常データがないと判断するステップであって、前記異常データは、所定の転送規則によって定義されるユーザパラメータおよび資産パラメータとは異なるパラメータを含む、ステップと、
前記ターゲットユーザの前記履歴データに前記異常データがないと判断したことに応じて、前記資産オブジェクトのアドレス情報をターゲットオブジェクトから削除し、前記資産オブジェクトの前記アドレス情報を前記資産オブジェクトに対応する資産受信オブジェクトに追加するステップとを含むコンピュータ実装方法。
【請求項２】
前記コントラクトオブジェクトは、前記資産オブジェクトを生成するよう構成された実行プログラムを含む、請求項1に記載のコンピュータ実装方法。
【請求項３】
前記コントラクトオブジェクトは、前記実行プログラムに関連した実行コードを維持するのに使われるコードフィールドを含む、請求項２に記載のコンピュータ実装方法。
【請求項４】
前記ターゲットオブジェクトは、前記ターゲットオブジェクトに割り当てられた前記資産オブジェクトの前記アドレス情報を維持するのに使われるアドレスフィールドを含む、請求項１に記載のコンピュータ実装方法。
【請求項５】
前記ブロックチェーンネットワークはコンソーシアムチェーンを含み、前記ブロックチェーンネットワーク中の前記ターゲットユーザは、前記コンソーシアムチェーンにおける資産オブジェクト生成権限を有するコンソーシアムメンバーである、請求項1に記載のコンピュータ実装方法。
【請求項６】
前記資産転送要求が前記所定の転送規則を満足するかどうかを判断するステップと、
前記資産転送要求が前記所定の転送規則を満足すると判断したことに応じて、前記ターゲットオブジェクトから、前記アドレス情報を削除し、前記資産オブジェクトに対応する資産受信オブジェクトに前記アドレス情報を追加するステップとをさらに含む、請求項1に記載のコンピュータ実装方法。
【請求項７】
前記資産受信オブジェクトは、前記資産オブジェクトの前記資産タイプに基づいて前記コントラクトオブジェクトによって識別され、前記資産オブジェクトに対応する、請求項６に記載のコンピュータ実装方法。
【請求項８】
コンピュータシステムによって実行されると、前記コンピュータシステムに、
ブロックチェーンネットワークの分散型データベースにアクセスするターゲットユーザから、前記ブロックチェーンネットワーク中で資産オブジェクトを生成するための要求を含むユーザ入力を受信することであって、前記ブロックチェーンネットワークは、アカウントオブジェクトおよびコントラクトオブジェクトを含み、前記要求は、前記ターゲットユーザに関連付けられた秘密鍵を用いて署名される、ことと、
前記ユーザ入力を受信したことに応じて、前記秘密鍵に対応する公開鍵に基づいて前記ターゲットユーザのアイデンティティ認証を実施することと、
前記ユーザ入力に基づいて前記資産オブジェクトの資産タイプを判断することと、
前記ブロックチェーンネットワーク中で、前記資産タイプに基づいて前記資産オブジェクトを生成するために前記コントラクトオブジェクトを開始することであって、前記資産オブジェクトは、前記ターゲットユーザに関連付けられた物理的資産に対応するデジタル資産を含む、ことと、
前記ターゲットユーザから、前記資産オブジェクトに関連付けられた資産転送要求を受信することと、
前記資産オブジェクトの特徴に関連付けられた前記ターゲットユーザの履歴データを読み出すことであって、前記ターゲットユーザの前記履歴データは過去のブロックまたは許可されたネットワーク通信と関連付けられる、ことと、
前記ターゲットユーザの前記履歴データを処理することに基づいて、前記ターゲットユーザの前記履歴データに異常データがないと判断することであって、前記異常データは、所定の転送規則によって定義されるユーザパラメータおよび資産パラメータとは異なるパラメータを含む、ことと、
前記ターゲットユーザの前記履歴データに前記異常データがないと判断したことに応じて、前記資産オブジェクトのアドレス情報をターゲットオブジェクトから削除し、前記資産オブジェクトの前記アドレス情報を前記資産オブジェクトに対応する資産受信オブジェクトに追加することと、
を含む動作を行わせる１つ又は複数の命令を記憶した非一時的なコンピュータ読み取り可能な媒体。
【請求項９】
前記コントラクトオブジェクトは、前記資産オブジェクトを生成するよう構成された実行プログラムを含む、請求項８に記載の非一時的なコンピュータ読み取り可能な媒体。
【請求項１０】
前記コントラクトオブジェクトは、前記実行プログラムに関連した実行コードを維持するのに使われるコードフィールドを含む、請求項９に記載の非一時的なコンピュータ読み取り可能な媒体。
【請求項１１】
前記ターゲットオブジェクトは、前記ターゲットオブジェクトに割り当てられた前記資産オブジェクトの前記アドレス情報を維持するのに使われるアドレスフィールドを含む、請求項８に記載の非一時的なコンピュータ読み取り可能な媒体。
【請求項１２】
前記ブロックチェーンネットワークはコンソーシアムチェーンを含み、前記ブロックチェーンネットワーク中の前記ターゲットユーザは、前記コンソーシアムチェーンにおける資産オブジェクト生成権限を有するコンソーシアムメンバーである、請求項８に記載の非一時的なコンピュータ読み取り可能な媒体。
【請求項１３】
前記動作は、
前記資産転送要求が前記所定の転送規則を満足するかどうかを判断することと、
前記資産転送要求が前記所定の転送規則を満足すると判断したことに応じて、前記ターゲットオブジェクトから、前記アドレス情報を削除し、前記資産オブジェクトに対応する資産受信オブジェクトに前記アドレス情報を追加することとをさらに含む、請求項８に記載の非一時的なコンピュータ読み取り可能な媒体。
【請求項１４】
前記資産受信オブジェクトは、前記資産オブジェクトの前記資産タイプに基づいて前記コントラクトオブジェクトによって識別され、前記資産オブジェクトに対応する、請求項１３に記載の非一時的なコンピュータ読み取り可能な媒体。
【請求項１５】
コンピュータ実装システムであって、
１つ又は複数のコンピュータと、
前記１つ又は複数のコンピュータに相互動作可能に結合され、前記１つ又は複数のコンピュータによって実行されると、
ブロックチェーンネットワークの分散型データベースにアクセスするターゲットユーザから、前記ブロックチェーンネットワーク中で資産オブジェクトを生成するための要求を含むユーザ入力を受信することであって、前記ブロックチェーンネットワークは、アカウントオブジェクトおよびコントラクトオブジェクトを含み、前記要求は、前記ターゲットユーザに関連付けられた秘密鍵を用いて署名される、ことと、
前記ユーザ入力を受信したことに応じて、前記秘密鍵に対応する公開鍵に基づいて前記ターゲットユーザのアイデンティティ認証を実施することと、
前記ユーザ入力に基づいて前記資産オブジェクトの資産タイプを判断することと、
前記ブロックチェーンネットワーク中で、前記資産タイプに基づいて前記資産オブジェクトを生成するために前記コントラクトオブジェクトを開始することであって、前記資産オブジェクトは、前記ターゲットユーザに関連付けられた物理的資産に対応するデジタル資産を含む、ことと、
前記ターゲットユーザから、前記資産オブジェクトに関連付けられた資産転送要求を受信することと、
前記資産オブジェクトの特徴に関連付けられた前記ターゲットユーザの履歴データを読み出すことであって、前記ターゲットユーザの前記履歴データは過去のブロックまたは許可されたネットワーク通信と関連付けられる、ことと、
前記ターゲットユーザの前記履歴データを処理することに基づいて、前記ターゲットユーザの前記履歴データに異常データがないと判断することであって、前記異常データは、所定の転送規則によって定義されるユーザパラメータおよび資産パラメータとは異なるパラメータを含む、ことと、
前記ターゲットユーザの前記履歴データに前記異常データがないと判断したことに応じて、前記資産オブジェクトのアドレス情報をターゲットオブジェクトから削除し、前記資産オブジェクトの前記アドレス情報を前記資産オブジェクトに対応する資産受信オブジェクトに追加することと、
を含む動作を行う１つ又は複数の命令を記憶した有形の非一時的な機械読み取り可能な媒体を有する１つ又は複数のコンピュータメモリ装置と、
を含む、コンピュータ実装システム。
【請求項１６】
前記コントラクトオブジェクトは、前記資産オブジェクトを生成するよう構成された実行プログラムを含む、請求項１５に記載のコンピュータ実装システム。
【請求項１７】
前記コントラクトオブジェクトは、前記実行プログラムに関連した実行コードを維持するのに使われるコードフィールドを含む、請求項１６に記載のコンピュータ実装システム。
【請求項１８】
前記ターゲットオブジェクトは、前記ターゲットオブジェクトに割り当てられた前記資産オブジェクトの前記アドレス情報を維持するのに使われるアドレスフィールドを含む、請求項１５に記載のコンピュータ実装システム。
【請求項１９】
前記ブロックチェーンネットワークはコンソーシアムチェーンを含み、前記ブロックチェーンネットワーク中の前記ターゲットユーザは、前記コンソーシアムチェーンにおける資産オブジェクト生成権限を有するコンソーシアムメンバーである、請求項１５に記載のコンピュータ実装システム。
【請求項２０】
前記資産転送要求が前記所定の転送規則を満足するかどうかを判断することと、
前記資産転送要求が前記所定の転送規則を満足すると判断したことに応じて、前記ターゲットオブジェクトから、前記アドレス情報を削除し、前記資産オブジェクトに対応する資産受信オブジェクトに前記アドレス情報を追加することであって、前記資産受信オブジェクトは、前記資産オブジェクトの前記資産タイプに基づいて前記コントラクトオブジェクトによって識別され、前記資産オブジェクトに対応する、ことをさらに含む、
請求項１５に記載のコンピュータ実装システム。